(57)【特許請求の範囲】
【請求項１】
取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
前記弾性片の前記弾性変形は、前記ランプ口金突起の突出方向であり、かつ前記ランプ挿脱姿勢の前記ソケット本体への前記ランプの挿入から前記ソケット本体が前記ランプ装着姿勢に至る動作で前記ランプ口金突起により押されて前記ランプ口金突起を乗り越えさせるものであり、前記弾性片は前記ランプ挿脱姿勢の前記ソケット本体に前記ランプを挿入するときに前記ランプ口金突起が当接する傾斜面を有するランプソケット。
【請求項２】
取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
さらに、前記弾性片は前記ランプ口金突起を案内するためのスリットを介して前記切欠きの開口側を塞ぐように、前記切欠きに入った前記ランプ口金突起を支持するものであり、
前記弾性片の前記弾性変形は、前記ランプ口金突起の突出方向でかつ前記スリットの幅を広げる方向であり、前記弾性片の内面に前記ランプ口金突起を前記ランプの挿入方向から前記切欠きに移動させる前記溝を形成し、前記ランプ挿脱姿勢の前記ソケット本体への前記ランプの挿入から前記ランプ装着姿勢に至る途中の動作で前記ランプ口金突起の移動を妨げるように前記ランプ口金突起を弾性により摺動させる第１の傾斜面および前記ソケット本体のランプ装着姿勢の付近で前記ランプ口金突起に接触してランプ装着姿勢の方向に付勢する第２の傾斜面を前記溝に設けたランプソケット。
【請求項３】
取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
さらに、前記弾性片は前記ランプ口金突起を案内するためのスリットを介して前記切欠きの開口側を塞ぐように、前記切欠きに入った前記ランプ口金突起を支持するもので、前記切欠きの前記スリットと反対側の前記弾性片と連続する部分に前記弾性片の弾性変形を容易にする割りを形成し、
前記弾性片の前記弾性変形は、前記ランプを前記ソケット本体から抜き出す方向であるとともに前記スリットの幅を広げる方向であり、前記ランプ挿脱姿勢の前記ソケット本体への前記ランプの挿入から前記ランプ装着姿勢に至る途中の動作で前記ランプ口金突起の移動を妨げるように前記弾性片に前記ランプ口金突起を弾性により摺動させる第１の傾斜面を設け、前記ソケット本体の前記ランプ装着姿勢の付近で前記ランプ口金突起に接触して前記ランプ装着姿勢の方向に弾性により付勢する第２の傾斜面を前記弾性片に設けたランプソケット。
【請求項４】
請求項１、請求項２または請求項３記載のランプソケットを有する照明器具。
【発明の詳細な説明】
【０００１】
【発明の属する技術分野】
この発明は、片口金蛍光灯ソケットなどに適用するランプソケットおよびそれを用いた照明器具に関するものである。
【０００２】
【従来の技術】
片口金蛍光灯ソケットにおいて、ランプをランプ軸と直交するランプソケットの軸を中心軸とする回動操作によって取付けるタイプのもの（例えば実開平2-49089 号) は、ランプソケットの弾性を有するランプピン接触片がランプの挿入に対してランプをランプ軸方向へ押し戻す荷重を与える。そのため、ランプを押し込みながら中心軸の回りに回動させランプ取付位置（ランプ装着姿勢）に動かした時、ランプ口金突起に対応したソケット取付台の凹部へ上述の荷重によりランプ口金突起を嵌合させて、ランプを保持している。
【０００３】
【発明が解決しようとする課題】
しかし、ランプピン接触片の弾性によるランプ口金突起の嵌合保持力をランプピン接触力として用いているため、ソケット取付台との嵌合寸法のばらつきなどによって嵌合保持力が変化し接触力も変化することになり、ランプピンとの接触が不安定となる。またランプピンと接触金具との接触が点接触となるため、ランプの中途半端な取付けや振動に対しても影響を受けやすい。ランプ口金突起と嵌合する凹部は、ランプピン接触力である嵌合保持力をランプ口金突起の凸部側よりランプ口金突起をかかえこんで受けなければならないため、ランプの回動角度をある程度大きくしなければならない。
【０００４】
したがって、この発明の目的は、ランプピンと接触金具の接触とは無関係にランプを保持することができるランプソケットおよび照明器具を提供することである。
【０００５】
【課題を解決するための手段】
請求項１記載のランプソケットは、取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
前記弾性片の前記弾性変形は、前記ランプ口金突起の突出方向であり、かつ前記ランプ挿脱姿勢の前記ソケット本体への前記ランプの挿入から前記ソケット本体が前記ランプ装着姿勢に至る動作で前記ランプ口金突起により押されて前記ランプ口金突起を乗り越えさせるものであり、前記弾性片は前記ランプ挿脱姿勢の前記ソケット本体に前記ランプを挿入するときに前記ランプ口金突起が当接する傾斜面を有するものである。
【０００６】
請求項１記載のランプソケットによれば、ランプの保持機能と、ランプピンと導電板との接触が独立するため、電気導通性能が安定する。また傾斜面によりランプ挿入途中ではランプ挿入を妨げる方向に反力が働くため、中途半端な位置で保持されにくい。また弾性片の弾性変形は、ランプ口金突起の突出方向であるため、ランプを小さな挿入角度で装着可能となる。
【００１３】
請求項２記載のランプソケットは、取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
さらに、前記弾性片は前記ランプ口金突起を案内するためのスリットを介して前記切欠きの開口側を塞ぐように、前記切欠きに入った前記ランプ口金突起を支持するものであり、
前記弾性片の前記弾性変形は、前記ランプ口金突起の突出方向でかつ前記スリットの幅を広げる方向であり、前記弾性片の内面に前記ランプ口金突起を前記ランプの挿入方向から前記切欠きに移動させる前記溝を形成し、前記ランプ挿脱姿勢の前記ソケット本体への前記ランプの挿入から前記ランプ装着姿勢に至る途中の動作で前記ランプ口金突起の移動を妨げるように前記ランプ口金突起を弾性により摺動させる第１の傾斜面および前記ソケット本体のランプ装着姿勢の付近で前記ランプ口金突起に接触してランプ装着姿勢の方向に付勢する第２の傾斜面を前記溝に設けたものである。
【００１４】
請求項２記載のランプソケットによれば、請求項１と同様な効果のほか、弾性片が前記ランプ口金突起を案内するためのスリットを介して前記取付台に設けられ、前記弾性片の前記弾性変形は前記スリットの幅を広げる方向としたため、押し込みの一操作のみでランプ装着が可能である。またランプ口金突起に対応したスリットの角度を変えることにより、ランプ取付の操作角度を比較的自由に変えることができる。また弾性片の弾性変形はランプ口金突起の突出方向でもあるため、小さな挿入角度でのランプの装着が可能である。また第１の傾斜面によりランプ挿入途中ではランプ挿入を妨げる方向に反力が働くので、中途半端な位置で保持されにくい。第２の傾斜面によりランプ装着の途中から、ランプへ装着方向の力が弾性片によって加わるので、途中で操作をやめても、ランプは装着完了位置まで押上げられ、中途半端な装着が起こりにくい。
【００１５】
請求項３記載のランプソケットは、取付台と、ランプ装着姿勢とこれに対してある角度傾いたランプ挿脱姿勢との間を回動可能に前記取付台に取付けられたソケット本体と、前記取付台に一体に形成されて前記ランプ挿脱姿勢の前記ソケット本体へランプを挿入する際および前記ランプが挿入された前記ソケット本体を前記ランプ装着姿勢に回動する際に弾性変形して前記ランプのランプ口金突起を乗り越えさせかつ前記ソケット本体の前記ランプ装着姿勢で前記ランプ口金突起を支持する弾性片とを備え、
前記取付台は、前記ソケット本体の前記ランプ装着姿勢で前記ランプ口金突起が入り込みランプ口金が前記ソケット本体から抜けるのを防止する抜止め部を切欠きにより形成し、
前記弾性片は前記ソケット本体の前記ランプの挿入側と反対側から前記ランプの挿入側が延出して前記弾性片の側部の一部で前記切欠きの開口側を塞ぐことにより前記ソケット本体が前記ランプ装着姿勢から前記ランプ挿脱姿勢に回動しないように前記ランプ口金突起を支持し、
さらに、前記弾性片は前記ランプ口金突起を案内するためのスリットを介して前記切欠きの開口側を塞ぐように、前記切欠きに入った前記ランプ口金突起を支持するもので、前記切欠きの前記スリットと反対側の前記弾性片と連続する部分に前記弾性片の弾性変形を容易にする割りを形成し、
前記弾性片の前記弾性変形は、前記ランプを前記ソケット本体から抜き出す方向であるとともに前記スリットの幅を広げる方向であり、前記ランプ挿脱姿勢の前記ソケット本体への前記ランプの挿入から前記ランプ装着姿勢に至る途中の動作で前記ランプ口金突起の移動を妨げるように前記弾性片に前記ランプ口金突起を弾性により摺動させる第１の傾斜面を設け、前記ソケット本体の前記ランプ装着姿勢の付近で前記ランプ口金突起に接触して前記ランプ装着姿勢の方向に弾性により付勢する第２の傾斜面を前記弾性片に設けたものである。
【００１６】
請求項３記載のランプソケットによれば、請求項１と共通する構成について請求項１と同様な効果があるほか、弾性片の弾性変形を、ランプをソケット本体から抜き出す方向としたので、弾性片がランプ軸方向に変形するため、左右に余分なスペースが不要であり、省スペース設計ができる。弾性片が前記ランプ口金突起を案内するためのスリットを介して前記取付台に設けられ、前記弾性片の前記弾性変形は前記スリットの幅を広げる方向でもあるため、押し込みの一操作のみでランプ装着が可能である。またランプ口金突起に対応したスリットの角度を変えることにより、ランプ取付の操作角度を比較的自由に変えることができる。また第１の傾斜面によりランプ挿入途中ではランプ挿入を妨げる方向に反力が働くので、中途半端な位置で保持されにくい。第２の傾斜面によりランプ装着の途中から、ランプへ装着方向の力が弾性片によって加わるので、途中で操作をやめても、ランプは装着完了位置まで押上げられ、中途半端な装着が起こりにくい。
【００３７】
請求項４記載の照明器具は、請求項１、請求項２または請求項３記載のランプソケットを有するものである。
【００３８】
請求項４記載の照明器具によれば、請求項１、請求項２または請求項３と同様な効果がある。
【００３９】
【発明の実施の形態】
この発明の第１の実施の形態を図１から図３により説明する。すなわち、このコンパクト型蛍光灯用ソケットを用いたランプソケットは、取付台１と、ソケット本体２とを有する。
【００４０】
取付台１は、照明器具の器具本体（図示せず）に取付けられるもので、樹脂または金属製であり略逆Ｕ字形をなしている。３は取付用穴である。
【００４１】
ソケット本体２は、図１に示すランプ装着姿勢とこれに対して図２に示すようにある角度傾いたランプ挿脱姿勢との間を回動可能に取付台１に取付けられている。回動手段は軸（図示せず）と軸受け部（図示せず）からなる。実施の形態では、片口金蛍光ランプ５を装着するものであり、ランプ５の略楕円形の口金６の端面にランプピン（図示せず）を突出し、口金６の長手方向の両側にランプ口金突起７を設けている。ランプピンはソケット本体２の前面開口の底面に形成したランプピン挿入穴を通してソケット本体２の内部の接触金具に接触し給電される。接触金具はランプピンの周面を挟持する挟持片により形成している。
【００４２】
取付台１には抜止め部９と弾性片１０を有する。抜止め部９は、取付台１に設けられてランプ５をソケット本体２に挿入しソケット本体２をランプ装着姿勢にした状態でランプ５のランプ口金突起７が係止するものである。これは取付台１の両側片１１のランプ挿脱位置側にランプ装着姿勢でランプ口金突起７が入る切欠１２により形成している。
【００４３】
弾性片１０は、取付台１に設けられてランプ５をソケット本体２に挿入した状態でソケット本体２をランプ挿脱姿勢からランプ装着姿勢に回動する際に弾性変形されてランプ５のランプ口金突起７を乗り越えさせかつソケット本体２のランプ装着姿勢でランプ口金突起７を支持する。実施の形態では、弾性片１０が切欠１２の開口側を塞ぐように取付台１に一体に形成されている。また弾性片１０はランプ口金突起７の突出方向に弾性変形するもので、ランプ口金突起７がソケット本体２のランプ挿脱姿勢からランプ装着姿勢に至る動作の途中でランプ口金突起７の移動を妨げるように弾性片１０にランプ口金突起７を弾性により摺動させる傾斜面１３を設けている。
【００４４】
ランプ５の装着について説明する。図２はランプ挿脱姿勢であり、ランプ交換時にこの状態でソケット本体２に対してランプ５を挿脱する。ランプ挿入時にランプ口金突起７が傾斜面１３に当接し、ランプ口金突起７の挿入方向に対して挿入を妨げる方向に弾性片１０により樹脂等による弾性を受ける。ランプ５を挿入し図２の矢印Ａのようにランプ５をランプ装着姿勢に持ち上げるときランプ口金突起７が弾性片１０をランプ口金突起７の突出方向に押し広げ、図１のソケット本体２がランプ装着姿勢になるとランプ口金突起７が弾性片１０を乗り越えるので弾性片１０が復帰し、ランプ口金突起７を支持する。ランプ口金突起７は切欠１２内に納まりランプ５を引き抜く外力に対して抜止め部９で係止し、ランプ口金突起７をかかえ込んだ状態にランプ５が保持される。ランプ交換をする時は弾性片１０を開いてランプ口金突起７を弾性片１０の支持から外すように、ソケット本体２をランプ挿脱姿勢に回動することにより行なう。
【００４５】
この実施の形態によれば、ランプ保持機能と、ランプピンと導電板との接触が独立するため、電気導通性が安定する。またランプ５をソケット本体２に挿入しながら持ち上げるだけでランプ装着姿勢に装着可能である。またランプ挿入途中ではランプ挿入を妨げる方向に反力が働くため、中途半端な位置で保持されにくい。
【００４６】
この発明の第２の実施の形態を図４から図６により説明する。すなわち、このランプソケットは、第１の実施の形態において、弾性片１０がランプ５をソケット本体２から抜き出す方向に弾性変形するように構成している。またソケット本体２がランプ挿脱姿勢からランプ装着姿勢に至る動作の途中でランプ口金突起７の移動を妨げるように弾性片１０にランプ口金突起７を弾性により摺動させる第１の傾斜面１３を設け、ソケット本体２のランプ装着姿勢の付近でランプ口金突起７に接触してランプ装着姿勢の方向に弾性により付勢する第２の傾斜面１４を弾性片１０に設けている。実施の形態では、ソケット本体２に切欠１２により形成した抜止め部９の先端に弾性片１０を一体形成し、かつランプ口金突起７の摺接面を山形に形成することによりその両斜面を傾斜面１３、１４としている。また弾性片１０の弾性変形を容易にするため、切欠１２の底部に割り１５を入れている。なお、１６はランプピン挿入穴、１７は口金支持片である。
【００４７】
図６によりランプ５の装着動作を説明する。図６（ｃ）はランプ挿脱状態である。ランプ５をソケット本体２に挿入するとランプ口金突起７が切欠１２に臨む。図（ｂ）はその後ランプ５を持ち上げる状態である。このとき、ランプ口金突起７が弾性片１０の第１の傾斜面１３を摺動するので弾性片１０の弾性によりランプ５を押下げようとする力が働くと同時にランプ口金突起７の移動により弾性片１０がランプ軸方向すなわちランプ５をソケット本体２から抜き出す方向に弾性変形する。ランプ口金突起７が第１の傾斜面１３から第２の傾斜面１４に移動するとランプ口金突起７をランプ装着姿勢に弾性により付勢する。図（ａ）はランプ装着状態である。ランプ５がこの状態まで移動すると、弾性片１０の変形はほぼ完全に元に戻り、抜止め部９とともにランプ５が外れないようにランプ口金突起７を保持する。なお、このとき弾性片１０の弾性変形を残すような寸法設定にすると弾性によってさらに保持力が増す。一方ランプ５を外すときはランプ５を押し下げることによりランプ口金突起７を弾性片１０の弾性に抗して第２の傾斜面１４および第１の傾斜面１３を摺動させ、弾性片１０から外すようにする。
【００４８】
この実施の形態によれば、ランプ５をソケット本体２に挿入し、持ち上げるだけで装着可能となる。その他は第１の実施の形態と同様である。
【００４９】
この発明の第３の実施の形態を図７から図１０に示す。すなわち、このランプソケットは、第１の実施の形態において、弾性片１０はランプ口金突起７を案内するためのスリット１８を介して取付台１に設けられ、弾性片１０の弾性変形はスリット１８の幅を広げる方向としている。実施の形態では、スリット１８を弾性片１０と抜止め部９との間に形成し、弾性片１０がランプ口金突起７の突出方向と直角な方向に弾性変形するようにしている。
【００５０】
またソケット本体２がランプ挿脱姿勢からランプ装着姿勢に至る動作の途中でランプ口金突起７の移動を妨げるように弾性片１０にランプ口金突起７を摺動させる第１の傾斜面１３を設け、ソケット本体２のランプ装着姿勢の付近でランプ口金突起７に接触してランプ装着姿勢の方向に付勢する第２の傾斜面１４を弾性片に設けている。また切欠１２の奥部の弾性片１０と連続する部分に弾性片１０の弾性変形を容易にする割り１５を形成している。
【００５１】
図１０の（ｃ）はランプ５の挿脱状態である。ランプ５のランプピン２０をソケット本体２のランプピン挿入穴１６に装着するようにランプ５をソケット本体２に挿入するとランプ口金突起７がスリット１８に入る。図（ｂ）はランプ５をスリット１８内に押し込む途中の状態である。このとき、ランプ口金突起７の押し込みによりランプ口金突起７が第１の傾斜面１３を摺動し、弾性片１０が下方に変形する。さらに押し込むと第２の傾斜面１４でランプ口金突起７を切欠１２内に案内するように弾性片１０の弾性でランプ口金突起７を押し込み、これによりランプ５を挿入したソケット本体２が弾性片１０の弾性により同時に回動する。図（ａ）はそのランプ装着状態である。したがって、ランプ５の押し込み操作のみでランプ装着が可能である。またスリット１８の傾斜角度によってランプ挿脱姿勢の角度を容易に設定することができる。一方ランプ５を外すときは、弾性片１０の弾性に抗してランプ５を引下げると、ランプ口金突起７が弾性片１０を弾性変形させながら傾斜面１４、１３を摺動して図（ｂ）から図（ｃ）の状態に移動でき、ランプ５を外すことができる。
【００５２】
その他は第１の実施の形態と同様である。
【００５３】
この発明の第４の実施の形態を図１１から図１５に示す。すなわち、このランプソケットは、第１の実施の形態において、弾性片１０の抜止め部９側に隙間２４を設け、弾性片１０の内面にランプ口金突起７をランプ５の挿入方向から切欠１２に移動させる溝２１を形成し、弾性片１０をランプ口金突起７の突出方向に弾性変形させる構成である。そして、ソケット本体２がランプ挿脱姿勢からランプ装着姿勢に至る動作の途中でランプ口金突起７の移動を妨げるようにランプ口金突起７を弾性により摺動させる第１の傾斜面１３を弾性片１０の溝２１に設け、ソケット本体２のランプ装着姿勢の付近でランプ口金突起７に接触してランプ装着姿勢の方向に付勢する第２の傾斜面１４を弾性片１０の溝２１に設けている。実施の形態では取付台１の両側片１１の対称位置に切欠１２および弾性片１０が設けられ、傾斜面１３は図１３に示すように、一対の弾性片１０の溝２１の底面間の間隔がランプ口金突起７の溝２１への挿入方向に対して挿入側よりも奥側が狭くなるように傾斜し、傾斜面１４は傾斜面１３に連続し、一対の溝２１の底面間の間隔が切欠１２の開口側の方が傾斜面１３側よりも広くなるように傾斜している。
【００５４】
ランプ５の着脱動作について説明する。図１５（ｃ）はランプ５を挿脱する状態である。図（ｂ）はランプ５を挿入し、ランプ口金突起７の先端が傾斜面１３を摺動し、弾性片１０の弾性変形の反力に抗して押し込むと、弾性片１０がランプ口金突起７の突出方向に弾性変形し、傾斜面１４による弾性反力によってランプ５が持ち上げられる。図（ａ）はランプ装着状態である。一方、ランプ５を弾性片１０の弾性に抗して押し下げると、ランプ口金突起７が傾斜面１４から傾斜面１３に移動し、ランプ５をソケット本体２から外すことができる。したがって、ランプ５の押し込み操作のみでランプ装着ができ、またランプ５を傾けるだけでランプ５をソケット本体２から外すことができる。また傾斜面１３、１４により中途半端な位置で保持されないし、溝２１の長手方向の傾斜角度によりランプ５の小さな挿入角度での装着が可能である。
【００５５】
なお、２６は回転軸、２７はその軸受け部、２８はランプピン２０が接触する挟持片をもった導電板、２９はソケット本体２の後端開口を塞ぐ樹脂カバーである。その他は、第１の実施の形態と同様である。
【００５６】
上記各実施の形態のランプソケットを照明器具に適用することができる。
【００５７】
なお、ランプピンに接触する導電板はランプピンを挾む挟持片のほか、ランプピンの側面に接触する接触片、ランプピンの先端に当接する当接片でもよい。
【００５８】
また、この発明において、弾性片１０は傾斜面１４のみが付いたものも含む。
【００５９】
【発明の効果】
請求項１記載のランプソケットによれば、ランプの保持機能と、ランプピンと導電板との接触が独立するため、電気導通性能が安定する。また傾斜面によりランプ挿入途中ではランプ挿入を妨げる方向に反力が働くため、中途半端な位置で保持されにくい。また弾性片の弾性変形は、ランプ口金突起の突出方向であるため、ランプを小さな挿入角度で装着可能となる。
【００６３】
請求項２記載のランプソケットによれば、請求項１と同様な効果のほか、弾性片が前記ランプ口金突起を案内するためのスリットを介して前記取付台に設けられ、前記弾性片の前記弾性変形は前記スリットの幅を広げる方向としたため、押し込みの一操作のみでランプ装着が可能である。またランプ口金突起に対応したスリットの角度を変えることにより、ランプ取付の操作角度を比較的自由に変えることができる。また弾性片の弾性変形はランプ口金突起の突出方向でもあるため、小さな挿入角度でのランプの装着が可能である。また第１の傾斜面によりランプ挿入途中ではランプ挿入を妨げる方向に反力が働くので、中途半端な位置で保持されにくい。第２の傾斜面によりランプ装着の途中から、ランプへ装着方向の力が弾性片によって加わるので、途中で操作をやめても、ランプは装着完了位置まで押上げられ、中途半端な装着が起こりにくい。
【００６４】
請求項３記載のランプソケットによれば、請求項１と共通する構成について請求項１と同様な効果があるほか、弾性片の弾性変形を、ランプをソケット本体から抜き出す方向としたので、弾性片がランプ軸方向に変形するため、左右に余分なスペースが不要であり、省スペース設計ができる。弾性片が前記ランプ口金突起を案内するためのスリットを介して前記取付台に設けられ、前記弾性片の前記弾性変形は前記スリットの幅を広げる方向でもあるため、押し込みの一操作のみでランプ装着が可能である。またランプ口金突起に対応したスリットの角度を変えることにより、ランプ取付の操作角度を比較的自由に変えることができる。また第１の傾斜面によりランプ挿入途中ではランプ挿入を妨げる方向に反力が働くので、中途半端な位置で保持されにくい。第２の傾斜面によりランプ装着の途中から、ランプへ装着方向の力が弾性片によって加わるので、途中で操作をやめても、ランプは装着完了位置まで押上げられ、中途半端な装着が起こりにくい。
【００７５】
請求項４記載の照明器具によれば、請求項１、請求項２または請求項３と同様な効果がある。
【図面の簡単な説明】
【図１】この発明の第１の実施の形態を示し、（ａ）はランプ装着姿勢の（ｂ）のＢ−Ｂ線断面図、（ｂ）は側面図である。
【図２】（ａ）はランプ挿脱姿勢の（ｂ）のＢ−Ｂ線断面図、（ｂ）は側面図である。
【図３】斜視図である。
【図４】第２の実施の形態のランプ挿脱姿勢の斜視図である。
【図５】その側面図である。
【図６】動作状態を説明する側面図である。
【図７】第３の実施の形態のランプ挿脱姿勢の斜視図である。
【図８】その側面図である。
【図９】第３の実施の形態の斜視図である。
【図１０】動作状態を説明する側面図である。
【図１１】第４の実施の形態の分解斜視図である。
【図１２】ランプ装着姿勢の斜視図である。
【図１３】取付台の斜視図である。
【図１４】（ａ）は（ｂ）のＤ−Ｄ線断面図、（ｂ）は取付台の断面図、（ｃ）は（ａ）の部分拡大図、（ｄ）は（ｂ）のＣ−Ｃ線断面図である。
【図１５】動作状態を説明する側面図である。
【符号の説明】
１    取付台
２    ソケット本体
５    片口金蛍光ランプ
６    口金
７    ランプ口金突起
１０    弾性片
１３    傾斜面
１４    傾斜面
【図１】
0004783492.tif 000002
【図２】
0004783492.tif 000003
【図３】
0004783492.tif 000004
【図４】
0004783492.tif 000005
【図５】
0004783492.tif 000006
【図６】
0004783492.tif 000007
【図７】
0004783492.tif 000008
【図８】
0004783492.tif 000009
【図９】
0004783492.tif 000010
【図１０】
0004783492.tif 000011
【図１１】
0004783492.tif 000012
【図１２】
0004783492.tif 000013
【図１３】
0004783492.tif 000014
【図１４】
0004783492.tif 000015
【図１５】
0004783492.tif 000016